(57)【要約】【課題】画像データを保存する専用の記憶領域をあらかじめ確保しておき、撮影機器やその他の情報装置から通信ネットワークを活用してその記憶領域を利用し画像データを操作する。【解決手段】カメラによる撮影機能，撮影画像の保持機能，および撮影画像の送受信機能を備えた携帯情報端末（カメラ付携帯電話１０）と、前記携帯情報端末が送信する撮影画像の画像データを受信し，あらかじめ定められた契約に基づいて前記画像データを格納し，前記携帯情報端末に指示されて格納中の画像データを取り扱う処理を実行する画像データサーバ２０と、画像データからそのアルバムを作成するＤＰＥサービス店舗３０と、前記携帯情報端末，前記画像データサーバ，および前記ＤＰＥサービス店舗を相互に接続する通信ネットワーク（インターネット１００）とを有する。【選択図】      図１
2005252545.tif 000002
【特許請求の範囲】
【請求項１】
カメラによる撮影機能，撮影画像の保持機能，および撮影画像の送受信機能を備えた携帯情報端末と、前記携帯情報端末が送信する撮影画像の画像データを受信し，あらかじめ定められた契約に基づいて前記画像データを格納し，前記携帯情報端末に指示されて格納中の画像データを取り扱う処理を実行する画像データサーバと、画像データからそのアルバムを作成するＤＰＥサービス店舗と、前記携帯情報端末，前記画像データサーバ，および前記ＤＰＥサービス店舗を相互に接続する通信ネットワークとを有することを特徴とする画像データ取扱システム。
【請求項２】
前記携帯情報端末は、カメラ付携帯電話であることを特徴とする請求項1記載の画像データ取扱システム。
【請求項３】
前記画像データサーバは、受信した画像データを格納する画像情報データベースおよび前記画像情報データベースを使用する利用者の個人情報を登録する利用者情報データベースを接続し、前記携帯情報端末から受信した前記画像情報データベースの利用申込みデータを利用者情報データベースに登録して利用許可し、利用許可された利用者の携帯情報端末から受信した画像データを前記画像情報データベースに格納し、さらに前記携帯情報端末から指示されて前記画像データを取り扱う処理を実行するｗｅｂサイトを具備することを特徴とする請求項1，または2記載の画像データ取扱システム。
【請求項４】
前記画像データを取り扱う処理は、該当の画像データを前記携帯情報端末のディスプレイに表示させる処理と、該当の画像データを前記画像情報データベースから削除する処理と、該当の画像データを前記携帯情報端末のメモリに書き込ませる処理と、該当の画像データのアルバムを前記ＤＰＥサービス店舗に作成させる処理とを含むことを特徴とする請求項1，２，または３記載の画像データ取扱システム。
【請求項５】
画像情報データベースを新規に利用するために携帯情報端末から画像データサーバへ利用者の個人情報を入力させ、前記個人情報に基づいてそのユーザＩＤおよびパスワードを生成して前記利用者に通知し、前記画像情報データベースを利用する際にユーザＩＤおよびパスワードを入力させて照合し登録済みの利用者であることを認証し、認証された利用者の携帯情報端末から受信した画像データを前記画像情報データベースに格納し、さらに前記携帯情報端末から指示されて前記画像データを取り扱う処理を実行することを特徴とする画像データ取扱方法。
【請求項６】
前記画像データを取り扱う処理は、該当の画像データを前記携帯情報端末のディスプレイに表示させる処理と、該当の画像データを前記画像情報データベースから削除する処理と、該当の画像データを前記携帯情報端末のメモリに書き込ませる処理と、該当の画像データのアルバムをあらかじめ指定されているＤＰＥサービス店舗に作成させる処理とを含むことを特徴とする請求項５記載の画像データ取扱方法。
【請求項７】
画像情報データベースを新規に利用するために携帯情報端末から画像データサーバへ利用者の個人情報を入力させる第一の機能と、前記個人情報に基づいてそのユーザＩＤおよびパスワードを生成して前記利用者に通知する第二の機能と、前記画像情報データベースを利用する際にユーザＩＤおよびパスワードを入力させて照合し登録済みの利用者であることを認証する第三の機能と、認証された利用者の携帯情報端末から受信した画像データを前記画像情報データベースに格納する第四の機能と、前記携帯情報端末から指示されて前記画像データを取り扱う処理を実行する第五の機能とを、コンピュータに実現させるための画像データ取扱プログラム。
【請求項８】
前記第五の機能は、該当の画像データを前記携帯情報端末のディスプレイに表示させる機能と、該当の画像データを前記画像情報データベースから削除する機能と、該当の画像データを前記携帯情報端末のメモリに書き込ませる機能と、該当の画像データのアルバムをあらかじめ指定されているＤＰＥサービス店舗に作成させる機能とを含むことを特徴とする請求項７記載の画像データ取扱プログラム。
【発明の詳細な説明】
【技術分野】
【０００１】
本発明は画像データ取扱システム，方法，およびプログラムに関し、特に携帯情報端末が撮影した画像データを格納し管理する画像データ取扱システム，方法，およびプログラムに関する。
【背景技術】
【０００２】
ある装置を使用することによって発生するデータを保存する必要がある場合には、データ記憶領域の容量が課題になる。特に大量のデータを発生する可能性がある画像データを扱うモバイル装置などでは、その装置を活用するチャンスを逃すこともある。
【０００３】
たとえば、カメラ付携帯電話で撮った画像データは、装置固有の格納領域が制限されているため、新たに撮影した場合、撮影された画像データを削除して、空き領域を確保しなければならない。必要な画像データを残したい場合は、コンビニなどに設置されたプリント端末等で写真として保存するなどの必要がある。
【０００４】
また、上記のようなデータ記憶領域の不足を回避するために、データの一時保管場所を実現する手段も開示されている（たとえば、特許文献１参照。）。
【０００５】
この例によれば、データ記憶領域の容量を気にしないで撮影などを行うことができるが、全体システムでのデータ取扱いの手順や一時保管後のデータの処置などについては不明のままである。
【０００６】
【特許文献１】特開平１１−１４６０８４号公報（第５〜７頁，図１）
【発明の開示】
【発明が解決しようとする課題】
【０００７】
上記のように、使用時にデータ記憶領域を消費していく装置では、記憶されたデータの退避や記憶媒体の交換などが必要とされる。特に大量データが発生する画像データを扱うカメラ付携帯電話のような装置では、撮影された画像データの保管や管理について、広く普及するような格別に有用な方法がなく、種々な試みが行われている。
【０００８】
本発明の目的は、上記のような不便を改善するために、画像データを保存する専用の記憶領域をあらかじめ確保しておき、撮影機器やその他の情報装置から通信ネットワークを活用してその記憶領域を利用し画像データを操作する画像データ取扱システム，方法，およびプログラムを提供することにある。
【課題を解決するための手段】
【０００９】
本発明の画像データ取扱システムは、カメラによる撮影機能，撮影画像の保持機能，および撮影画像の送受信機能を備えた携帯情報端末と、前記携帯情報端末が送信する撮影画像の画像データを受信し，あらかじめ定められた契約に基づいて前記画像データを格納し，前記携帯情報端末に指示されて格納中の画像データを取り扱う処理を実行する画像データサーバと、画像データからそのアルバムを作成するＤＰＥサービス店舗と、前記携帯情報端末，前記画像データサーバ，および前記ＤＰＥサービス店舗を相互に接続する通信ネットワークとを有することを特徴とする。
さらに、本発明の画像データ取扱システムにおいて、前記携帯情報端末は、カメラ付携帯電話であることを特徴とする。
【００１０】
さらに、本発明の画像データ取扱システムにおいて、前記画像データサーバは、受信した画像データを格納する画像情報データベースおよび前記画像情報データベースを使用する利用者の個人情報を登録する利用者情報データベースを接続し、前記携帯情報端末から受信した前記画像情報データベースの利用申込みデータを利用者情報データベースに登録して利用許可し、利用許可された利用者の携帯情報端末から受信した画像データを前記画像情報データベースに格納し、さらに前記携帯情報端末から指示されて前記画像データを取り扱う処理を実行するｗｅｂサイトを具備することを特徴とする。
【００１１】
さらに、本発明の画像データ取扱システムにおいて、前記画像データを取り扱う処理は、該当の画像データを前記携帯情報端末のディスプレイに表示させる処理と、該当の画像データを前記画像情報データベースから削除する処理と、該当の画像データを前記携帯情報端末のメモリに書き込ませる処理と、該当の画像データのアルバムを前記ＤＰＥサービス店舗に作成させる処理とを含むことを特徴とする。
【００１２】
また、本発明の画像データ取扱方法は、画像情報データベースを新規に利用するために携帯情報端末から画像データサーバへ利用者の個人情報を入力させ、前記個人情報に基づいてそのユーザＩＤおよびパスワードを生成して前記利用者に通知し、前記画像情報データベースを利用する際にユーザＩＤおよびパスワードを入力させて照合し登録済みの利用者であることを認証し、認証された利用者の携帯情報端末から受信した画像データを前記画像情報データベースに格納し、さらに前記携帯情報端末から指示されて前記画像データを取り扱う処理を実行することを特徴とする。
【００１３】
さらに、本発明の画像データ取扱方法において、前記画像データを取り扱う処理は、該当の画像データを前記携帯情報端末のディスプレイに表示させる処理と、該当の画像データを前記画像情報データベースから削除する処理と、該当の画像データを前記携帯情報端末のメモリに書き込ませる処理と、該当の画像データのアルバムをあらかじめ指定されているＤＰＥサービス店舗に作成させる処理とを含むことを特徴とする。
【００１４】
また、本発明の画像データ取扱プログラムは、画像情報データベースを新規に利用するために携帯情報端末から画像データサーバへ利用者の個人情報を入力させる第一の機能と、前記個人情報に基づいてそのユーザＩＤおよびパスワードを生成して前記利用者に通知する第二の機能と、前記画像情報データベースを利用する際にユーザＩＤおよびパスワードを入力させて照合し登録済みの利用者であることを認証する第三の機能と、認証された利用者の携帯情報端末から受信した画像データを前記画像情報データベースに格納する第四の機能と、前記携帯情報端末から指示されて前記画像データを取り扱う処理を実行する第五の機能とを、コンピュータに実現させることを特徴とする。
【００１５】
さらに、本発明の画像データ取扱プログラムにおいて、前記第五の機能は、該当の画像データを前記携帯情報端末のディスプレイに表示させる機能と、該当の画像データを前記画像情報データベースから削除する機能と、該当の画像データを前記携帯情報端末のメモリに書き込ませる機能と、該当の画像データのアルバムをあらかじめ指定されているＤＰＥサービス店舗に作成させる機能とを含むことを特徴とする。
【００１６】
すなわち、本発明によれば、携帯電話より画像サーバのサイトにアクセスして個人情報を登録する手段と、サイトにアクセスする際の認証手段と、サイトにアクセスしたあと画像データをアップロードする手段と、画像データをダウンロードする手段と、登録されている画像データを削除する手段と、登録された画像データをＤＰＥ店舗に送信する手段とを提供することができる。
【発明の効果】
【００１７】
以上、詳細に説明したように、本発明によれば、次の効果が得られる。
【００１８】
従来、カメラ付携帯電話で撮影した画像データは、保存して置きたいお気に入りの画像データであっても、メモリ容量の問題で保存できなかったり、携帯電話の故障や紛失などで、大切なデータを消失したりしていた。また、外部保存はできるが、長期保存に適さない写真のような紙媒体だったり、ＣＤ−ＲＯＭ形式であれば読み込むパソコンが必要だったりと、不便な面が多い。本発明によれば、これらの問題を一挙に解決することができる。
【００１９】
すなわち、
（１）大切な画像データを半永久的に保存できる。
（２）インターネットカフェなどを利用すれば、個人のパソコンを所有していなくても画像データを閲覧できる。
（３）旅先などで、デジタルカメラの記憶領域が不足したときに利用できる。
（４）携帯電話を買い換えても利用できる。
（５）携帯電話の利用者がますます増加する。
という効果がある。
【発明を実施するための最良の形態】
【００２０】
以下、本発明について図面を参照しながら説明する。
【００２１】
図１は、本発明の実施の一形態を示す構成図である。同図において、本発明による画像データ取扱システムは、カメラによる撮影機能，撮影画像の保持機能，および撮影画像の送受信機能を備えた携帯情報端末（カメラ付携帯電話１０）と、前記携帯情報端末が送信する撮影画像の画像データを受信し，あらかじめ定められた契約に基づいて前記画像データを格納し，前記携帯情報端末に指示されて格納中の画像データを取り扱う処理を実行する画像データサーバ２０と、画像データからそのアルバムを作成するＤＰＥサービス店舗３０と、前記携帯情報端末，前記画像データサーバ，および前記ＤＰＥサービス店舗を相互に接続する通信ネットワーク（インターネット１００）とを有する。
【００２２】
上記の画像データサーバ２０は、受信した画像データを格納する画像情報データベース２３および前記画像情報データベースを使用する利用者の個人情報を登録する利用者情報データベース２２を接続し、前記携帯情報端末から受信した前記画像情報データベースの利用申込みデータを利用者情報データベースに登録して利用許可し、利用許可された利用者の携帯情報端末から受信した画像データを前記画像情報データベースに格納し、さらに前記携帯情報端末から指示されて前記画像データを取り扱う処理を実行するｗｅｂサイト２１を具備する。
【００２３】
すなわち、本発明による画像データ取扱システムは、カメラ付携帯電話１０と、画像情報データベースおよび利用者情報データベースを備えた画像データサーバ２０と、ＤＰＥサービス店舗３０とで構成されている。カメラ付携帯電話１０，画像データサーバ２０，ＤＰＥサービス店舗３０は、インターネット１００を介して相互に接続されている。
【００２４】
カメラ付携帯電話１０は、市販されている製品であり、カメラ撮影機能を備え、本体または本体にセットするメモリカードに画像データを格納する機能を有する。また、インターネット等に接続し、携帯電話用ｗｅｂサイトにアクセスでき閲覧する機能を有する。
【００２５】
ＤＰＥサービス店舗３０は、画像データを現像するサービスを提供している店舗である。
【００２６】
画像データサーバ２０は、画像データを蓄積する画像情報データベース２３および個人情報を記録する利用者情報データベース２２を接続している。なお、画像情報データベース２３の構成例を図６に示し、利用者情報データベース２２の構成例を図５に示す。
【００２７】
また、画像データサーバ２０は、カメラ付携帯電話１０が登録した画像データをＪＰＥＧ形式およびサムネイル形式に変換し、画像情報データベース２３に格納する。画像情報データベース２３には、利用者が任意に選択して契約したサイズの格納領域があり、ＪＰＥＧ形式およびサムネイル形式の画像データが登録される。利用料金は格納領域のサイズなどで決定される。
【００２８】
さらに、画像データサーバ２０は、カメラ付携帯電話１０のアクセスに対し、利用者の認証および閲覧を管理するｗｅｂサイト２１を備えている。認証および閲覧の処理などで参照する利用者の個人情報は、利用者情報データベース２２に登録されている。利用者情報データベース２２には、利用者の住所，氏名，電話番号，ユーザＩＤ，パスワード，契約領域のサイズ，料金などが記録される。
【００２９】
図２および図３は、上記の画像データ取扱システムの動作を示す流れ図である。同図では、利用者がカメラ付携帯電話１０によって画像データサーバ２０を操作するような視点で記述している。
【００３０】
まず、利用者はサービスを利用するためにｗｅｂサイト２１に接続する。次にサービスを利用する前にブックマークに登録を行う（Ｓ１１，Ｓ１２）。
【００３１】
「ブックマークに登録する」とは、既知の料金請求機能であり、あるサイトを自分の携帯電話のブックマークに登録すると、そのサービスを利用でき、サービスの利用料金は通信業者に通話料と一緒に支払う仕組みである。
【００３２】
ブックマークに登録を行うと、新規登録画面とユーザＩＤ／パスワードの入力画面（図４（ａ）参照）に移行する。新規登録を選んだ場合は、ガイダンスに基づき、指定の項目、「氏名」「住所」「電話番号」「契約領域サイズ」を入力し（図４（ｂ）参照）、決定ボタンをクリックする（Ｓ１３，Ｓ１４）。
【００３３】
登録した個人情報は利用者データベース２２に記録され、回答としてユーザＩＤ／パスワードが提供される（Ｓ１５）。
【００３４】
利用者は提供されたユーザＩＤ／パスワードでｗｅｂサイトにアクセスすると、個人用のページ（図４（ｃ）参照）が表示される（Ｓ１６，Ｓ１７）。
【００３５】
表示されたｗｅｂ画面で、一括アップロードまたは選択アップロードを選び、カメラ付携帯電話に保存している画像データをアップロードすると、契約領域サイズの範囲内で、画像情報データベース２３にＪＰＥＧ形式およびサムネイル形式で保存される（Ｓ１８，Ｓ１９，Ｓ２０，Ｓ２１）。
【００３６】
登録された画像データが必要な場合、上記の方法でｗｅｂサイトに接続し、個人用ページ（図４（ｄ）参照）にアクセスし、サムネイル形式で表示された画像データにチェックをつけ、操作を決定する。操作には、「見る」「削除」「ダウンロード」「アルバム」等のチェックボタンがあり、該当画像データにチェックをつけた後、操作用のチェックボタンをチェックし、操作決定する（Ｓ２２）。
【００３７】
すなわち、「見る」をチェックし決定すると、ＪＰＥＧ形式の画像データをカメラ付携帯電話１０の画面上に表示する（Ｓ２３）。
【００３８】
また、「削除」をチェックし決定すると、該当の画像データを画像情報データベース２３から削除する（Ｓ２４）。
【００３９】
また、「ダウンロード」をチェックし決定すると、カメラ付携帯電話１０のメモリに該当の画像データをダウンロードして記録する（Ｓ２５）。
【００４０】
またさらに、「アルバム」をチェックし決定すると、該当の画像データをＤＰＥサービス店舗３０に送信し、アルバムの作成を指示する（Ｓ２６）。作成されたアルバムは利用者に郵送などによって届けられ、利用料金は通話料とともに通信業者に支払われて精算される。
【産業上の利用可能性】
【００４１】
本発明による画像データサーバのサービスは、通信ネットワークを利用可能であれば、何処でも何時でも提供される。したがって、カメラ付携帯端末などの利便性を益々向上させる可能性がある。
【図面の簡単な説明】
【００４２】
【図１】本発明の実施の一形態を示す構成図。
【図２】本発明の動作を示す流れ図（１）。
【図３】本発明の動作を示す流れ図（２）。
【図４】カメラ付携帯電話の表示画面の例を示す説明図。
【図５】利用者情報データベースの構成例を示す説明図。
【図６】画像情報データベースの構成例を示す説明図。
【符号の説明】
【００４３】
１０    カメラ付携帯電話
２０    画像データサーバ
２１    ｗｅｂサイト
２２    利用者情報データベース
２３    画像情報データベース
３０    ＤＰＥサービス店舗
１００    インターネット
【図１】
2005252545.tif 000003
【図２】
2005252545.tif 000004
【図３】
2005252545.tif 000005
【図４】
2005252545.tif 000006
【図５】
2005252545.tif 000007
【図６】
2005252545.tif 000008